【手続補正書】
【提出日】令和3年7月28日(2021.7.28)
【手続補正１】
【補正対象書類名】特許請求の範囲
【補正対象項目名】全文
【補正方法】変更
【補正の内容】
【特許請求の範囲】
【請求項１】
検品対象となる用紙上に形成された画像の読み取り画像と、前記画像の検品の基準となる基準画像とを比較する検査ステップを有する検品方法であって、
前記用紙がインデックス紙であるページは検品の対象外とする検品方法。
【請求項２】
前記基準画像を新規作成するか、または登録画像から選択するかをユーザーに選択させる選択ステップをさらに有する、請求項１に記載の検品方法。
【請求項３】
前記画像の検品のレベルをユーザーに設定させる設定ステップをさらに有する、請求項１または２に記載の検品方法。
【請求項４】
請求項１〜３のいずれか１項に記載の検品方法をコンピューターに実行させるための検品プログラム。
【請求項５】
検品対象となる用紙上に形成された画像の読み取り画像と、前記画像の検品の基準となる基準画像とを比較する検査部を有し、
前記用紙がインデックス紙であるページは検品の対象外とする、検品装置。
【請求項６】
用紙に関する情報を取得する取得部をさらに有し、
前記取得部が取得した用紙に関する情報に基づき、前記インデックス紙であるページは検品の対象外とする、請求項５に記載の検品装置。
【請求項７】
用紙に画像を形成する画像形成部と、
前記用紙がインデックス紙であるページは検品の対象外とする制御部と、
前記画像形成部によって前記用紙上に形成された画像を読み取る読取部と、
前記検品の対象となる用紙上に形成された画像の読み取り画像と、前記画像の検品の基準となる基準画像とを比較する検査部と、を有する、画像形成システム。
【請求項８】
前記基準画像を新規作成するか、または登録画像から選択するかをユーザーに選択させる選択部をさらに有する、請求項７に記載の画像形成システム。
【請求項９】
前記画像の検品のレベルをユーザーに設定させる設定部をさらに有する、請求項７または８に記載の画像形成システム。
【請求項１０】
画像形成装置から搬送された印刷物を読み取る読取部と、
前記印刷物が読み取られて生成された読み取り画像に基づいて、前記印刷物を自動検品するための基準画像を生成する基準画像生成部と、
制御部と、を備え、
前記制御部は、
前記読取部に搬送される前記印刷物の各用紙について、自動検品の対象か否かに関する情報を前記画像形成装置から取得し、
前記用紙が自動検品の対象である場合、前記基準画像が自動検品の検査において有効である旨を保存する一方で、
前記用紙が自動検品の対象外である場合、前記基準画像が自動検品の検査において無効である旨を保存し、
前記基準画像が自動検品の検査において有効である場合、前記基準画像を保存する一方で、
前記基準画像が自動検品の検査において無効である場合、前記基準画像を保存しない、基準画像生成装置。
【請求項１１】
画像形成装置から搬送された印刷物の画像を読み取る読取部と、
前記読取部によって前記画像が読み取られて生成された読み取り画像に基づいて、前記印刷物を自動検品するための基準画像を生成する基準画像生成部と、
制御部と、を備え、
前記制御部は、
前記読取部に搬送される前記印刷物の各用紙について、自動検品の対象か否かに関する情報を前記画像形成装置から取得し、
前記用紙が自動検品の対象である場合、前記基準画像が自動検品の検査において有効である旨を保存する一方で、
前記用紙が自動検品の対象外である場合、前記基準画像が自動検品の検査において無効である旨を保存し、
前記基準画像が自動検品の検査において有効か無効かにかかわらず、前記基準画像を保存する、基準画像生成装置。
【請求項１２】
画像形成装置から搬送された印刷物の画像を読み取る読取部と、
前記読取部によって前記画像が読み取られて生成された読み取り画像に基づいて、前記印刷物を自動検品するための基準画像を生成する基準画像生成部と、
制御部と、を備え、
前記読取部は、
前記読取部に搬送される前記印刷物の各用紙について、自動検品の対象か否かに関する情報を前記画像形成装置から取得し、
前記用紙が自動検品の対象である場合、前記用紙の画像を読み取る一方で、前記用紙が自動検品の対象外である場合、前記用紙の画像を読み取らず、
前記制御部は、
生成された前記基準画像を保存する、基準画像生成装置。
【請求項１３】
前記制御部は、
生成された前記基準画像の保存順にページ番号を割り振り、前記基準画像を保存する、請求項１０〜１２のいずれか１項に記載の基準画像生成装置。
【請求項１４】
前記制御部は、
前記基準画像を、前記基準画像が自動検品の検査において有効、あるいは無効である旨と関連付けて保存するための管理用ジョブを生成する、請求項１０〜１２のいずれか１項に記載の基準画像生成装置。
【請求項１５】
前記制御部は、
前記印刷物の全用紙が自動検品の対象外である場合、前記管理用ジョブを削除する、請求項１４に記載の基準画像生成装置。
【請求項１６】
印刷ジョブに基づいて、用紙に画像を形成し、当該画像が形成された印刷物を出力する画像形成装置と、
請求項１０〜１５のいずれか１項に記載の基準画像生成装置と、
前記画像形成装置から前記基準画像生成装置へ前記印刷物を搬送する用紙搬送装置と、
前記印刷物の全用紙が自動検品の対象外である場合、ユーザーに前記印刷物の全用紙が基準画像を作成できない用紙である旨を通知するとともに、基準画像を作成する処理の中止をユーザーに確認するポップアップ画面を表示する通知部と、を有する画像形成システム。
【請求項１７】
画像形成装置で印刷された印刷物の各用紙について、自動検品の対象か否かに関する情報を前記画像形成装置から取得するステップ（ａ）と、
前記画像形成装置から搬送された印刷物を読取部で読み取るステップ（ｂ）と、
前記ステップ（ｂ）において前記印刷物が読み取られて生成された読み取り画像に基づいて、前記印刷物を自動検品するための基準画像を生成するステップ（ｃ）と、
前記ステップ（ｃ）において生成された前記基準画像の保存を制御するステップ（ｄ）と、を含み、
前記ステップ（ｄ）では、
前記用紙が自動検品の対象である場合、前記基準画像が自動検品の検査において有効である旨を保存する一方で、
前記用紙が自動検品の対象外である場合、前記基準画像が自動検品の検査において無効である旨を保存し、
前記基準画像が自動検品の検査において有効である場合、前記基準画像を保存する一方で、
前記基準画像が自動検品の検査において無効である場合、前記基準画像を保存しない、
基準画像生成方法。
【請求項１８】
画像形成装置で印刷された印刷物の各用紙について、自動検品の対象か否かに関する情報を前記画像形成装置から取得するステップ（ａ）と、
前記画像形成装置から搬送された印刷物を読取部で読み取るステップ（ｂ）と、
前記ステップ（ｂ）において前記印刷物が読み取られて生成された読み取り画像に基づいて、前記印刷物を自動検品するための基準画像を生成するステップ（ｃ）と、
前記ステップ（ｃ）において生成された前記基準画像の保存するステップ（ｄ）と、を含み、
前記ステップ（ｄ）では、
前記用紙が自動検品の対象である場合、前記基準画像が自動検品の検査において有効である旨を保存する一方で、
前記用紙が自動検品の対象外である場合、前記基準画像が自動検品の検査において無効である旨を保存し、
前記基準画像が自動検品の検査において有効か無効かにかかわらず、前記基準画像を保存する、基準画像生成方法。
【請求項１９】
画像形成装置で印刷された印刷物の各用紙について、自動検品の対象か否かに関する情報を前記画像形成装置から取得するステップ（ａ）と、
前記画像形成装置から搬送された印刷物を読取部で読み取るステップ（ｂ）と、
前記印刷物が読み取られて生成された読み取り画像に基づいて、前記印刷物を自動検品するための基準画像を生成するステップ（ｃ）と、
生成された前記基準画像を保存するステップ（ｄ）と、を含み、
前記ステップ（ｂ）では、
前記用紙が自動検品の対象である場合、前記用紙の画像を読み取る一方で、前記用紙が自動検品の対象外である場合、前記用紙の画像を読み取らない、基準画像生成方法。
【請求項２０】
前記ステップ（ｄ）では、
生成された前記基準画像の保存順にページ番号を割り振り、前記基準画像を保存する、請求項１７〜１９のいずれか１項に記載の基準画像生成方法。
【請求項２１】
前記ステップ（ｄ）では、
前記基準画像を、前記基準画像が検査において有効か、あるいは無効かを示す情報と関連付けて保存するための管理用ジョブを生成する、請求項１７〜２０のいずれか１項に記載の基準画像生成方法。
【請求項２２】
前記ステップ（ｄ）では、
前記印刷物の全用紙が自動検品の対象外である場合、前記管理用ジョブを削除する、請求項２１に記載の基準画像生成方法。
【請求項２３】
前記印刷物の全用紙が自動検品の対象外である場合、ユーザーに前記印刷物の全用紙が基準画像を作成できない用紙である旨を通知するとともに、基準画像を作成する処理の中止をユーザーに確認するポップアップ画面を表示するステップ（ｅ）をさらに含む、請求項１７〜２２のいずれか１項に記載の基準画像生成方法。
【請求項２４】
請求項１７〜２３のいずれか１項に記載の基準画像生成方法をコンピューターに実行させるための基準画像生成プログラム。
【手続補正２】
【補正対象書類名】明細書
【補正対象項目名】発明の名称
【補正方法】変更
【補正の内容】
【発明の名称】検品方法、検品プログラム、検品装置、基準画像生成装置、画像形成システム、基準画像生成方法、および基準画像生成プログラム
【手続補正３】
【補正対象書類名】明細書
【補正対象項目名】０００１
【補正方法】変更
【補正の内容】
【０００１】
本発明は、検品方法、検品プログラム、検品装置、基準画像生成装置、画像形成システム、基準画像生成方法、および基準画像生成プログラムに関する。
【手続補正４】
【補正対象書類名】明細書
【補正対象項目名】０００９
【補正方法】変更
【補正の内容】
【０００９】
本発明は、上記事情に鑑みてなされたものであり、インデックス紙を検品の対象外とする検品方法、検品プログラム、検品装置、および画像形成システムを提供することを目的とする。また、検査しないページを予めユーザーが選別する手間を省くことができる基準画像生成装置、画像形成システム、基準画像生成方法、および基準画像生成プログラムを提供することを目的とする。
【手続補正５】
【補正対象書類名】明細書
【補正対象項目名】００１１
【補正方法】変更
【補正の内容】
【００１１】
（１）検品対象となる用紙上に形成された画像の読み取り画像と、前記画像の検品の基準となる基準画像とを比較する検査ステップを有する検品方法であって、前記用紙がインデックス紙であるページは検品の対象外とする検品方法。
（２）前記基準画像を新規作成するか、または登録画像から選択するかをユーザーに選択させる選択ステップをさらに有する、上記（１）に記載の検品方法。
（３）前記画像の検品のレベルをユーザーに設定させる設定ステップをさらに有する、上記（１）または（２）に記載の検品方法。
（４）上記（１）〜（３）のいずれか１つに記載の検品方法をコンピューターに実行させるための検品プログラム。
（５）検品対象となる用紙上に形成された画像の読み取り画像と、前記画像の検品の基準となる基準画像とを比較する検査部を有し、前記用紙がインデックス紙であるページは検品の対象外とする、検品装置。
（６）用紙に関する情報を取得する取得部をさらに有し、前記取得部が取得した用紙に関する情報に基づき、前記インデックス紙であるページは検品の対象外とする、上記（５）に記載の検品装置。
（７）用紙に画像を形成する画像形成部と、前記用紙がインデックス紙であるページは検品の対象外とする制御部と、前記画像形成部によって前記用紙上に形成された画像を読み取る読取部と、前記検品の対象となる用紙上に形成された画像の読み取り画像と、前記画像の検品の基準となる基準画像とを比較する検査部と、を有する、画像形成システム。
（８）前記基準画像を新規作成するか、または登録画像から選択するかをユーザーに選択させる選択部をさらに有する、上記（７）に記載の画像形成システム。
（９）前記画像の検品のレベルをユーザーに設定させる設定部をさらに有する、上記（７）または（８）に記載の画像形成システム。
（１０）画像形成装置から搬送された印刷物を読み取る読取部と、前記印刷物が読み取られて生成された読み取り画像に基づいて、前記印刷物を自動検品するための基準画像を生成する基準画像生成部と、制御部と、を備え、前記制御部は、前記読取部に搬送される前記印刷物の各用紙について、自動検品の対象か否かに関する情報を前記画像形成装置から取得し、前記用紙が自動検品の対象である場合、前記基準画像が自動検品の検査において有効である旨を保存する一方で、前記用紙が自動検品の対象外である場合、前記基準画像が自動検品の検査において無効である旨を保存し、前記基準画像が自動検品の検査において有効である場合、前記基準画像を保存する一方で、前記基準画像が自動検品の検査において無効である場合、前記基準画像を保存しない、基準画像生成装置。
【手続補正６】
【補正対象書類名】明細書
【補正対象項目名】００１２
【補正方法】変更
【補正の内容】
【００１２】
（１１）画像形成装置から搬送された印刷物の画像を読み取る読取部と、前記読取部によって前記画像が読み取られて生成された読み取り画像に基づいて、前記印刷物を自動検品するための基準画像を生成する基準画像生成部と、制御部と、を備え、前記制御部は、前記読取部に搬送される前記印刷物の各用紙について、自動検品の対象か否かに関する情報を前記画像形成装置から取得し、前記用紙が自動検品の対象である場合、前記基準画像が自動検品の検査において有効である旨を保存する一方で、前記用紙が自動検品の対象外である場合、前記基準画像が自動検品の検査において無効である旨を保存し、前記基準画像が自動検品の検査において有効か無効かにかかわらず、前記基準画像を保存する、基準画像生成装置。
【手続補正７】
【補正対象書類名】明細書
【補正対象項目名】００１３
【補正方法】変更
【補正の内容】
【００１３】
（１２）画像形成装置から搬送された印刷物の画像を読み取る読取部と、前記読取部によって前記画像が読み取られて生成された読み取り画像に基づいて、前記印刷物を自動検品するための基準画像を生成する基準画像生成部と、制御部と、を備え、前記読取部は、前記読取部に搬送される前記印刷物の各用紙について、自動検品の対象か否かに関する情報を前記画像形成装置から取得し、前記用紙が自動検品の対象である場合、前記用紙の画像を読み取る一方で、前記用紙が自動検品の対象外である場合、前記用紙の画像を読み取らず、前記制御部は、生成された前記基準画像を保存する、基準画像生成装置。
【手続補正８】
【補正対象書類名】明細書
【補正対象項目名】００１４
【補正方法】変更
【補正の内容】
【００１４】
（１３）前記制御部は、生成された前記基準画像の保存順にページ番号を割り振り、前記基準画像を保存する、上記（１０）〜（１２）のいずれか１つに記載の基準画像生成装置。
【手続補正９】
【補正対象書類名】明細書
【補正対象項目名】００１５
【補正方法】変更
【補正の内容】
【００１５】
（１４）前記制御部は、前記基準画像を、前記基準画像が自動検品の検査において有効、あるいは無効である旨と関連付けて保存するための管理用ジョブを生成する、上記（１０）〜（１２）のいずれか１つに記載の基準画像生成装置。
【手続補正１０】
【補正対象書類名】明細書
【補正対象項目名】００１６
【補正方法】変更
【補正の内容】
【００１６】
（１５）前記制御部は、前記印刷物の全用紙が自動検品の対象外である場合、前記管理用ジョブを削除する、上記（１４）に記載の基準画像生成装置。
【手続補正１１】
【補正対象書類名】明細書
【補正対象項目名】００１７
【補正方法】変更
【補正の内容】
【００１７】
（１６）印刷ジョブに基づいて、用紙に画像を形成し、当該画像が形成された印刷物を出力する画像形成装置と、上記（１０）〜（１４）のいずれか１つに記載の基準画像生成装置と、前記画像形成装置から前記基準画像生成装置へ前記印刷物を搬送する用紙搬送装置と、前記印刷物の全用紙が自動検品の対象外である場合、ユーザーに前記印刷物の全用紙が基準画像を作成できない用紙である旨を通知するとともに、基準画像を作成する処理の中止をユーザーに確認するポップアップ画面を表示する通知部と、を有する画像形成システム。
【手続補正１２】
【補正対象書類名】明細書
【補正対象項目名】００１８
【補正方法】変更
【補正の内容】
【００１８】
（１７）画像形成装置で印刷された印刷物の各用紙について、自動検品の対象か否かに関する情報を前記画像形成装置から取得するステップ（ａ）と、前記画像形成装置から搬送された印刷物を読取部で読み取るステップ（ｂ）と、前記ステップ（ｂ）において前記印刷物が読み取られて生成された読み取り画像に基づいて、前記印刷物を自動検品するための基準画像を生成するステップ（ｃ）と、前記ステップ（ｃ）において生成された前記基準画像の保存を制御するステップ（ｄ）と、を含み、前記ステップ（ｄ）では、前記用紙が自動検品の対象である場合、前記基準画像が自動検品の検査において有効である旨を保存する一方で、前記用紙が自動検品の対象外である場合、前記基準画像が自動検品の検査において無効である旨を保存し、前記基準画像が自動検品の検査において有効である場合、前記基準画像を保存する一方で、前記基準画像が自動検品の検査において無効である場合、前記基準画像を保存しない、基準画像生成方法。
【手続補正１３】
【補正対象書類名】明細書
【補正対象項目名】００１９
【補正方法】変更
【補正の内容】
【００１９】
（１８）画像形成装置で印刷された印刷物の各用紙について、自動検品の対象か否かに関する情報を前記画像形成装置から取得するステップ（ａ）と、前記画像形成装置から搬送された印刷物を読取部で読み取るステップ（ｂ）と、前記ステップ（ｂ）において前記印刷物が読み取られて生成された読み取り画像に基づいて、前記印刷物を自動検品するための基準画像を生成するステップ（ｃ）と、前記ステップ（ｃ）において生成された前記基準画像の保存するステップ（ｄ）と、を含み、前記ステップ（ｄ）では、前記用紙が自動検品の対象である場合、前記基準画像が自動検品の検査において有効である旨を保存する一方で、前記用紙が自動検品の対象外である場合、前記基準画像が自動検品の検査において無効である旨を保存し、前記基準画像が自動検品の検査において有効か無効かにかかわらず、前記基準画像を保存する、基準画像生成方法。
【手続補正１４】
【補正対象書類名】明細書
【補正対象項目名】００２０
【補正方法】変更
【補正の内容】
【００２０】
（１９）画像形成装置で印刷された印刷物の各用紙について、自動検品の対象か否かに関する情報を前記画像形成装置から取得するステップ（ａ）と、前記画像形成装置から搬送された印刷物を読取部で読み取るステップ（ｂ）と、前記印刷物が読み取られて生成された読み取り画像に基づいて、前記印刷物を自動検品するための基準画像を生成するステップ（ｃ）と、生成された前記基準画像を保存するステップ（ｄ）と、を含み、前記ステップ（ｂ）では、前記用紙が自動検品の対象である場合、前記用紙の画像を読み取る一方で、前記用紙が自動検品の対象外である場合、前記用紙の画像を読み取らない、基準画像生成方法。
【手続補正１５】
【補正対象書類名】明細書
【補正対象項目名】００２１
【補正方法】変更
【補正の内容】
【００２１】
（２０）前記ステップ（ｄ）では、生成された前記基準画像の保存順にページ番号を割り振り、前記基準画像を保存する、上記（１７）〜（１９）のいずれか１つに記載の基準画像生成方法。
【手続補正１６】
【補正対象書類名】明細書
【補正対象項目名】００２２
【補正方法】変更
【補正の内容】
【００２２】
（２１）前記ステップ（ｄ）では、前記基準画像を、前記基準画像が検査において有効か、あるいは無効かを示す情報と関連付けて保存するための管理用ジョブを生成する、上記（１７）〜（２０）のいずれか１つに記載の基準画像生成方法。
【手続補正１７】
【補正対象書類名】明細書
【補正対象項目名】００２３
【補正方法】変更
【補正の内容】
【００２３】
（２２）前記ステップ（ｄ）では、前記印刷物の全用紙が自動検品の対象外である場合、前記管理用ジョブを削除する、上記（２１）に記載の基準画像生成方法。
【手続補正１８】
【補正対象書類名】明細書
【補正対象項目名】００２４
【補正方法】変更
【補正の内容】
【００２４】
（２３）前記印刷物の全用紙が自動検品の対象外である場合、ユーザーに前記印刷物の全用紙が基準画像を作成できない用紙である旨を通知するとともに、基準画像を作成する処理の中止をユーザーに確認するポップアップ画面を表示するステップ（ｅ）をさらに含む、上記（１７）〜（２２）のいずれか１つに記載の基準画像生成方法。
【手続補正１９】
【補正対象書類名】明細書
【補正対象項目名】００２５
【補正方法】変更
【補正の内容】
【００２５】
（２４）上記（１７）〜（２３）のいずれか１つに記載の基準画像生成方法をコンピューターに実行させるための基準画像生成プログラム。